(57)【要約】【課題】伝送同期に敏感でない高電圧直流送電システムのデータ処理装置を提供する。【解決手段】本発明の実施例による高電圧直流送電システムのデータ処理装置は、高電圧直流送電システムの一つ以上の地点に対して電圧又は電流を測定する測定モジュールと、測定モジュールで測定された測定値を利用して測定データユニットを生成するデータ処理部と、複数の測定データユニットを波長分割多重化方式を利用して一つの光繊維を介して外部に伝送する通信モジュールと、を含み、光繊維は複数のコアを含む。【選択図】図１１
2015220994.tif 000002
【特許請求の範囲】
【請求項１】
高電圧直流送電システムのデータ処理装置において、
前記高電圧直流送電システムの一つ以上の地点に対して電圧又は電流を測定する測定モジュールと、
前記測定モジュールで測定された測定値を利用して測定データユニットを生成するデータ処理部と、
前記複数の測定データユニットを波長分割多重化方式を利用して一つの光繊維を介して外部に伝送する通信モジュールと、を含み、
前記光繊維は、複数のコアを含む、高電圧直流送電システムのデータ処理装置。
【請求項２】
前記複数のコアそれぞれは一つ以上の測定データユニットに対応し、
前記通信モジュールは、前記複数のコアそれぞれを介して前記複数の測定データユニットを外部に伝送する、請求項１に記載の高電圧直流送電システムのデータ処理装置。
【請求項３】
前記データ処理部は、複数のデータユニット生成部を含み、
前記複数のデータユニット生成部それぞれは、前記測定モジュールで測定された測定値を利用して測定データユニットを生成し、生成された測定データユニットを前記通信モジュールに伝達する、請求項２に記載の高電圧直流送電システムのデータ処理装置。
【請求項４】
前記複数のコアそれぞれは、前記データ処理部を構成する複数のデータユニット生成部それぞれに対応する、請求項３に記載の高電圧直流送電システムのデータ処理装置。
【請求項５】
前記複数のコアそれぞれは、少なくとも２つ以上のデータユニット生成部と対応する、請求項３に記載の高電圧直流送電システムのデータ処理装置。
【請求項６】
前記通信モジュールは、前記複数の測定データユニットを一つの光繊維を介して並列的に伝送する、請求項１に記載の高電圧直流送電システムのデータ処理装置。
【請求項７】
前記通信モジュールは、前記複数の測定データユニットそれぞれに複数の波長帯域それぞれを割り当てて前記複数の測定データユニットを伝送する、請求項６に記載の高電圧直流送電システムのデータ処理装置。
【請求項８】
前記複数の測定データユニットをコーディングして外部に伝送する制御部を更に含む、請求項１に記載の高電圧直流送電システムのデータ処理装置。
【請求項９】
前記複数のデータユニット生成部それぞれは、前記測定モジュールで測定された測定値を前処理し、前処理された測定データユニットを生成する、請求項３に記載の高電圧直流送電システムのデータ処理装置。
【発明の詳細な説明】
【技術分野】
【０００１】
高電圧直流送電システムのデータ処理装置及びその方法に関するものである。
【背景技術】
【０００２】
高電圧直流送電（ＨＩＧＨ  ＶＯＬＴＡＧＥ  ＤＩＲＥＣＴ  ＣＵＲＲＥＮＴ  ＴＲＡＮＳＭＩＳＳＩＯＮ，ＨＶＤＣ  ＴＲＡＮＳＭＩＳＳＩＯＮ）とは、送電所が発電所で生産される交流電力を直流に変換させて送電した後、受電所で交流に再変換して電力を供給する送電方式をいう。
【０００３】
ＨＶＤＣシステムは海底ケーブル送電、大容量長距離送電、交流系統間連携などに適用される。また、ＨＶＤＣシステムは互いに異なる周波数系統連携及び非同期（ａｓｙｎｃｈｒｏｎｉｓｍ）連携を可能にする。
【０００４】
送電所は交流電力を直流電力に変換する。即ち、交流電力を海底ケーブルなどを利用して伝送する情況は非常に危ないため、送電所は交流電量を直流電力に変換して受電所に伝送する。
【０００５】
このような高電圧直流送電システムは一つ以上の地点に対する電圧／電流などに対する測定値を利用してシステムを制御する。
【０００６】
従来の高電圧直流送電システムは時分割多重化（ＴＤＭ：Ｔｉｍｅ  Ｄｉｖｉｓｉｏｎ  Ｍｕｌｔｉｐｌｅｘｉｎｇ）方式を介して測定値に対するデータを伝送していた。高電圧直流送電システムが時分割多重化方式を介して直列伝送で測定データを伝送する場合には光ケーブルを最小化することができるが、時分割多重化方式は伝送同期に敏感な問題がある。
【０００７】
また、時分割多重化方式を利用して測定データを伝送する場合、測定モジュールの数が多くなるほどチャネルのびん首率が増加する問題がある。
【発明の概要】
【発明が解決しようとする課題】
【０００８】
本発明は、伝送同期に敏感ではない高電圧直流送電システムのデータ処理装置を提供するのにその目的がある。
【０００９】
また、本発明は波長分割多重化方式を利用して測定データを並列に伝送するため、測定モジュール（又はデータユニット生成部）の数が多くなってもシステムの要求事項を満足することができる高電圧直流送電システムのデータ処理装置を提供するのにその目的がある。
【００１０】
また、本発明はケーブル配線数を減らし、システムの構造を単純にする高電圧直流送電システムのデータ処理装置を提供するのにその目的がある。
【課題を解決するための手段】
【００１１】
本発明の実施例による高電圧直流送電システムのデータ処理装置は、前記高電圧直流送電システムの一つ以上の地点に対して電圧又は電流を測定する測定モジュールと、前記測定モジュールで測定された測定値を利用して測定データユニットを生成するデータ処理部と、前記複数の測定データユニットを波長分割多重化方式を利用して一つの光繊維を介して外部に伝送する通信モジュールと、を含み、前記光繊維は複数のコアを含む。
【００１２】
前記複数のコアそれぞれは一つ以上の測定データユニットに対応し、前記通信モジュールは前記複数のコアそれぞれを介して前記複数の測定データユニットを外部に伝送する。
【００１３】
前記データ処理部は複数のデータユニット生成部を含み、前記複数のデータユニット生成部それぞれは前記測定モジュールで測定された測定値を利用して測定データユニットを生成し、生成された測定データユニットを前記通信モジュールに伝達する。
【００１４】
前記複数のコアそれぞれは前記データ処理部を構成する複数のデータユニット生成部それぞれに対応する。
【００１５】
前記複数のコアそれぞれは少なくとも２つ以上のデータユニット生成部と対応する。
【００１６】
前記通信モジュールは、前記複数の測定データユニットを一つの光繊維を介して並列的に伝送する。
【００１７】
前記通信モジュールは、前記複数の測定データユニットそれぞれに複数の波長帯域それぞれを割り当てて前記複数の測定データユニットを伝送する。
【００１８】
前記データ処理装置は、前記複数の測定データユニットをコーディングして外部に伝送する制御部を更に含む。
【００１９】
前記複数のデータユニット生成部それぞれは前記測定モジュールで測定された測定値を前処理し、前処理された測定データユニットを生成する。
【発明の効果】
【００２０】
本発明の多様な実施例によると、時分割加重化方式を介して測定データユニットを伝送しても伝送同期への敏感な影響を減らすことができる。
【００２１】
また、直列伝送方式を介して光ケーブルの数を減少し、システムの構造を単純にする効果がある。
【図面の簡単な説明】
【００２２】
【図１】本発明の一実施例による高電圧直流送電システムの示す図である。
【図２】本発明の一実施例によるモノポーラ方式の高電圧直流送電システムを示す図である。
【図３】本発明の一実施例によるバイポーラ方式の高電圧直流送電システムを示す図である。
【図４】本発明の一実施例による変圧器と３相バルブブリッジの結線を示す図である。
【図５】本発明の一実施例によるデータ処理装置の構成を説明するための図である。
【図６】本発明の一実施例によって各前処理部からデータが伝送されるタイミングを説明するための図である。
【図７】本発明の一実施例によって各前処理部からデータワードを有するデータレコードを示す図である。
【図８】本発明の一実施例によって測定データをコーディングする過程を説明する図である。
【図９】本発明の他の実施例によるデータ処理装置のブロック図である。
【図１０】本発明の他の実施例によるデータ処理装置の実際の構成を示す図である。
【図１１】本発明の一実施例によるデータ処理装置の動作方法を説明するためのフローチャートである。
【図１２】本発明の一実施例による測定データパケットの構造を説明するための図である。
【図１３】本発明の他の実施例によるデータ処理装置の実際の構成を説明するためのブロック図である。
【図１４】本発明の実施例による波長分割多重化方式を介したデータ伝送方法を説明するための図である。
【図１５】本発明の他の実施例によるデータ処理装置の実際の構成を示す図である。
【図１６】本発明の他の実施例によるデータ処理装置のデータ伝送方法を説明するためのフローチャートである。
【発明を実施するための形態】
【００２３】
以下、本発明に関する実施例について図面を参照してより詳細に説明する。以下に説明で使用される構成要素に対する接尾詞「パート」、「モジュール」及び「部」は明細書作成の容易性のみが考慮されて付与されるか混用されるものであって、それ自体として互いに区別される意味又は役割を有することはない。
【００２４】
図１は、本発明の実施例による高電圧直流送電システムを示す図である。
【００２５】
図１に示したように、本発明の実施例によるＨＶＤＣシステム１００は発電パート１０１、送電側交流パート１１０、送電側変電パート１０３、直流送電パート１４０、需要側変電パート１０５、需要側交流パート１７０、需要パート１８０及び制御パート１９０を含む。送電側変電パート１０３は送電側変圧器パート１２０、送電側交流−直流コンバータパート１３０を含む。需要側変電パート１０５は需要側直流−交流コンバータパート１５０、需要側変圧器パート１６０を含む。
【００２６】
発電パート１０１は３相交流電力を生成する。発電パート１０１は複数の発電所を含む。
【００２７】
送電側交流パート１１０は発電パート１０１が生成した３相交流電力を送電側変圧器パート１２０と送電側交流−直流コンバータパート１３０を含むＤＣ変電所に伝達する。
【００２８】
送電側変圧器パート１２０は送電側交流パート１１０を送電側交流−直流コンバータパート１３０及び直流送電パート１４０から隔離する（ｉｓｏｌａｔｅ）。
【００２９】
送電側交流−直流コンバータパート１３０は送電側変圧器パート１２０の出力に当たる３相交流電力を直流電力に変換する。
【００３０】
直流送電パート１４０は送電側の直流電力を需要側に伝達する。
【００３１】
需要側直流−交流コンバータパート１５０は直流送電パート１４０によって伝達された直流電力を３相交流電力に変換する。
【００３２】
需要側変圧器パート１６０は需要側交流パート１７０を需要側直流−交流コンバータパート１５０と直流送電パート１４０から隔離する。
【００３３】
需要側交流パート１７０は需要側変圧器パート１６０の出力に当たる３相交流電力を需要パート１８０に提供する。
【００３４】
制御パート１９０は発電パート１０１、送電側交流パート１１０、送電側変電パート１０３、直流送電パート１４０、需要側変電パート１０５、需要側交流パート１７０、需要パート１８０、制御パート、送電側交流−直流コンバータパート１３０、需要側直流−交流コンバータパート１５０のうち少なくとも一つを制御する。特に、制御パート１９０は送電側交流−直流コンバータパート１３０と需要側直流−交流コンバータパート１５０内の複数のバルブのターンオン及びターンオフのタイミングを制御する。この際、バルブはサイリスタ又は絶縁ゲートバイポーラトランジスタ（ｉｎｓｕｌａｔｅｄ  ｇａｔｅ  ｂｉｐｏｌａｒ  ｔｒａｓｉｓｔｏｒ，ＩＧＢＴ）に当たる。
【００３５】
図２は、本発明の実施例によるモノポーラ方式の高電圧直流送電システムを示す図である。
【００３６】
特に、図２は単一極の直流電力を送電するシステムを示す。以下の説明では単一極は正極（ｐｏｓｉｔｉｖｅ  ｐｏｌｅ）であると仮定して説明するが、それに限る必要はない。
【００３７】
送電側交流パート１１０は交流送電ライン１１１と交流フィルタ１１３を含む。
【００３８】
交流送電ライン１１１は発電パート１０１が生成した３相交流電力を送電側変電パート１０３に伝達する。
【００３９】
交流フィルタ１１３は直流変電パート１０３が利用する周波数成分以外の残りの周波数成分を伝達された３相交流電力から除去する。
【００４０】
送電側変圧器パート１２０は正極のために一つ以上の変圧器１２１を含む。正極のために送電側交流−直流コンバータパート１３０は正極直流電力を生成する交流−正極直流コンバータ１３１を含み、この交流−正極直流コンバータ１３１は一つ以上の変圧器１２１にそれぞれ対応する一つ以上の３相バルブブリッジ１３１ａを含む。
【００４１】
一つの３相バルブブリッジ１３１ａが利用される場合、交流−正極直流コンバータ１３１は交流電力を利用して６つのパルスを有する正極直流電力を生成する。この際、その一つの変圧器１２１の１次側のコイルと２次側のコイルはＹ−Ｙ形状の結線を有してもよく、Ｙ−デルタ（Δ）形状の結線を有してもよい。
【００４２】
２つの３相バルブブリッジ１３１ａが利用される場合、交流−正極直流コンバータ１３１は交流電力を利用して１２個のパルスを有する正極直流電力を生成する。この際、２つのうち一つの変圧器１２１の１次側のコイルと２次側のコイルはＹ−Ｙ形状の結線を有してもよく、残りの一つの変圧器１２１の１次側のコイルと２次側のコイルはＹ−Δ形状の結線を有してもよい。
【００４３】
３つの３相バルブブリッジ１３１ａが利用される場合、交流−正極直流コンバータ１３１は交流電力を利用して１８個のパルスを有する正極直流電力を生成する。正極直流電力のパルスの数が多いほどフィルタの価格が下がる。
【００４４】
直流送電パート１４０は送電側正極直流フィルタ１４１、正極直流送電ライン１４３、需要側正極直流フィルタ１４５を含む。
【００４５】
送電側正極直流フィルタ１４１はインダクタＬ１とキャパシタＣ１を含み、交流−正極直流コンバータ１３１が出力する正極直流電力を直流フィルタリングする。
【００４６】
正極直流送電ライン１４３は正極直流電力を伝送するための一つのＤＣラインを有し、電流の帰還通路としては大地を利用する。このＤＣラインの上には一つ以上のスイッチが配置される。
【００４７】
需要側正極直流フィルタ１４５はインダクタＬ２とキャパシタＣ２を含み、正極直流送電ライン１４３を介して伝達された正極直流電力を直流フィルタリングする。
【００４８】
需要側直流−交流コンバータパート１５０は正極直流−交流コンバータ１５１を含み、正極直流−交流コンバータ１５１は一つ以上の３相バルブブリッジ１５１ａを含む。
【００４９】
需要側変圧器パート１６０は正極のために一つ以上の３相バルブブリッジ１５１ａにそれぞれ対応する一つ以上の変圧器１６１を含む。
【００５０】
一つの３相バルブブリッジ１５１ａが利用される場合、正極直流−交流コンバータ１５１は正極直流電力を利用して６つのパルスを有する交流電力を生成する。この際、その一つの変圧器１６１の１次側のコイルと２次側のコイルはＹ−Ｙ形状の結線を有してもよく、Ｙ−デルタ（Δ）形状の結線を有してもよい。
【００５１】
２つの３相バルブブリッジ１５１ａが利用される場合、正極直流−交流コンバータ１５１は正極直流電力を利用して１２個のパルスを有する交流電力を生成する。この際、２つのうち一つの変圧器１６１の１次側のコイルと２次側のコイルはＹ−Ｙ形状の結線を有してもよく、残りの一つの変圧器１６１の１次側のコイルと２次側のコイルはＹ−Δ形状の結線を有してもよい。
【００５２】
３つの３相バルブブリッジ１５１ａが利用される場合、正極直流−交流コンバータ１５１は正極直流電力を利用して１８つのパルスを有する交流電力を生成する。交流電力のパルスの数が多いほどフィルタの価格が下がる。
【００５３】
需要側交流パート１７０は交流フィルタ１７１と交流送電ライン１７３を含む。
【００５４】
交流フィルタ１７１は需要パート１８０が利用する周波数成分（例えば、６０Ｈｚ）以外の残りの周波数成分を需要側変電パート１０５が生成する交流電力から除去する。
【００５５】
交流送電ライン１７３はフィルタリングされた交流電力を需要パート１８０に伝達する。
【００５６】
図３は、本発明の実施例によるバイポーラ方式の高電圧直流送電システムを示す図である。
【００５７】
特に、図３は２つの極の直流電力を送電するシステムを示す。以下の説明では２つの極は正極と負極（ｎｅｇａｔｉｖｅ  ｐｏｌｅ）であると仮定して説明するが、それに限る必要はない。
【００５８】
送電側交流パート１１０は交流送電ライン１１１と交流フィルタ１１３を含む。
【００５９】
交流送電ライン１１１は発電パート１０１が生成した３相交流電力を送電側変電パート１０３に伝達する。
【００６０】
交流フィルタ１１３は変電パート１０３が利用する周波数成分以外の残りの周波数成分を伝達された３相交流電力から除去する。
【００６１】
送電側変圧器パート１２０は正極のための一つ以上の変圧器１２１を含み、負極のための一つ以上の変圧器１２２を含む。送電側交流−直流コンバータパート１３０は正極直流電力を生成する交流−正極直流コンバータ１３１と負極直流電力を生成する交流−負極直流コンバータ１３２を含み、交流−正極直流コンバータ１３１は正極のための一つ以上の変圧器１２１にそれぞれ対応する一つ以上の３相バルブブリッジ１３１ａを含み、交流−負極直流コンバータ１３２は負極のための一つ以上の変圧器１２２にそれぞれ対応する一つ以上の３相バルブブリッジ１３２ａを含む。
【００６２】
正極のために一つの３相バルブブリッジ１３１ａが利用される場合、交流−正極直流コンバータ１３１は交流電力を利用して６つのパルスを有する正極直流電力を生成する。この際、その一つの変圧器１２１の１次側のコイルと２次側のコイルはＹ−Ｙ形状の結線を有してもよく、Ｙ−デルタ（Δ）形状の結線を有してもよい。
【００６３】
正極のために２つの３相バルブブリッジ１３１ａが利用される場合、交流−正極直流コンバータ１３１は交流電力を利用して１２個のパルスを有する正極直流電力を生成する。この際、２つのうち一つの変圧器１２１の１次側のコイルと２次側のコイルはＹ−Ｙ形状の結線を有してもよく、残りの一つの変圧器１２１の１次側のコイルと２次側のコイルはＹ−Δ形状の結線を有してもよい。
【００６４】
正極のために３つの３相バルブブリッジ１３１ａが利用される場合、交流−正極直流コンバータ１３１は交流電力を利用して１８個のパルスを有する正極直流電力を生成する。正極直流電力のパルスの数が多いほどフィルタの価格が下がる。
【００６５】
負極のために一つの３相バルブブリッジ１３２ａが利用される場合、交流−負極直流コンバータ１３２は６つのパルスを有する負極直流電力を生成する。この際、その一つの変圧器１２２の１次側のコイルと２次側のコイルはＹ−Ｙ形状の結線を有してもよく、Ｙ−デルタ（Δ）形状の結線を有してもよい。
【００６６】
負極のために２つの３相バルブブリッジ１３２ａが利用される場合、交流−負極直流コンバータ１３２は１２個のパルスを有する負極直流電力を生成する。この際、２つのうち一つの変圧器１２２の１次側のコイルと２次側のコイルはＹ−Ｙ形状の結線を有してもよく、残りの一つの変圧器１２２の１次側のコイルと２次側のコイルはＹ−Δ形状の結線を有してもよい。
【００６７】
負極のために３つの３相バルブブリッジ１３２ａが利用される場合、交流−負極直流コンバータ１３２は１８個のパルスを有する負極直流電力を生成する。負極直流電力のパルスの数が多いほどフィルタの価格が下がる。
【００６８】
直流送電パート１４０は送電側正極直流フィルタ１４１、送電側負極直流フィルタ１４２、正極直流送電ライン１４３、負極直流送電ライン１４４、需要側正極直流フィルタ１４５、需要側負極直流フィルタ１４６を含む。
【００６９】
送電側正極直流フィルタ１４１はインダクタＬ１とキャパシタＣ１を含み、交流−正極直流コンバータ１３１が出力する正極直流電力を直流フィルタリングする。
【００７０】
送電側負極直流フィルタ１４２はインダクタＬ３とキャパシタＣ３を含み、交流−負極直流コンバータ１３２が出力する負極直流電力を直流フィルタリングする。
【００７１】
正極直流送電ライン１４３は正極直流電力を伝送するための一つのＤＣラインを有し、電流の帰還通路としては大地を利用する。このＤＣラインの上には一つ以上のスイッチが配置される。
【００７２】
負極直流送電ライン１４４は負極直流電力を伝送するための一つのＤＣラインを有し、電流の帰還通路としては大地を利用する。このＤＣラインの上には一つ以上のスイッチが配置される。
【００７３】
需要側正極直流フィルタ１４５はインダクタＬ２とキャパシタＣ２を含み、正極直流送電ライン１４３を介して伝達された正極直流電力を直流フィルタリングする。
【００７４】
需要側負極直流フィルタ１４６はインダクタＬ４とキャパシタＣ４を含み、負極直流送電ライン１４４を介して伝達された負極直流電力を直流フィルタリングする。
【００７５】
需要側直流−交流コンバータパート１５０は正極直流−交流コンバータ１５１と負極直流−交流コンバータ１５２を含み、正極直流−交流コンバータ１５１は一つ以上の３相バルブブリッジ１５１ａを含み、負極直流−交流コンバータ１５２は一つ以上の３相バルブブリッジ１５２ａを含む。
【００７６】
需要側変圧器パート１６０は正極のために一つ以上の３相バルブブリッジ１５１ａにそれぞれ対応する一つ以上の変圧器１６１を含み、負極のために一つ以上の３相バルブブリッジ１５２ａにそれぞれ対応する一つ以上の変圧器１６２を含む。
【００７７】
正極のために一つの３相バルブブリッジ１５１ａが利用される場合、正極直流−交流コンバータ１５１は正極直流電力を利用して６つのパルスを有する交流電力を生成する。この際、その一つの変圧器１６１の１次側のコイルと２次側のコイルはＹ−Ｙ形状の結線を有してもよく、Ｙ−デルタ（Δ）形状の結線を有してもよい。
【００７８】
正極のために２つの３相バルブブリッジ１５１ａが利用される場合、正極直流−交流コンバータ１５１は正極直流電力を利用して１２個のパルスを有する交流電力を生成する。この際、２つのうち一つの変圧器１６１の１次側のコイルと２次側のコイルはＹ−Ｙ形状の結線を有してもよく、残りの一つの変圧器１６１の１次側のコイルと２次側のコイルはＹ−Δ形状の結線を有してもよい。
【００７９】
正極のために３つの３相バルブブリッジ１５１ａが利用される場合、正極直流−交流コンバータ１５１は正極直流電力を利用して１８個のパルスを有する交流電力を生成する。交流電力のパルスの数が多いほどフィルタの価格が下がる。
【００８０】
負極のために一つの３相バルブブリッジ１５２ａが利用される場合、負極直流−交流コンバータ１５２は負極直流電力を利用して６つのパルスを有する交流電力を生成する。この際、その一つの変圧器１６２の１次側のコイルと２次側のコイルはＹ−Ｙ形状の結線を有してもよく、Ｙ−デルタ（Δ）形状の結線を有してもよい。
【００８１】
負極のために２つの３相バルブブリッジ１５２ａが利用される場合、負極直流−交流コンバータ１５２は負極直流電力を利用して１２個のパルスを有する交流電力を生成する。この際、２つのうち一つの変圧器１６２の１次側のコイルと２次側のコイルはＹ−Ｙ形状の結線を有してもよく、残りの一つの変圧器１６２の１次側のコイルと２次側のコイルはＹ−Δ形状の結線を有してもよい。
【００８２】
負極のために３つの３相バルブブリッジ１５２ａが利用される場合、負極直流−交流コンバータ１５２は負極直流電力を利用して１８個のパルスを有する交流電力を生成する。交流電力のパルスの数が多いほどフィルタの価格が下がる。
【００８３】
需要側交流パート１７０は交流フィルタ１７１と交流送電ライン１７３を含む。
【００８４】
交流フィルタ１７１は需要パート１８０が利用する周波数成分（例えば、６０Ｈｚ）以外の残りの周波数成分を需要側変電パート１０５が生成する交流電力から除去する。
【００８５】
交流送電ライン１７３はフィルタリングされた交流電力を需要パート１８０に伝達する。
【００８６】
図４は、本発明の実施例による変圧器と３相バルブブリッジの結線を示す図である。
【００８７】
特に、図４は正極のための２つの変圧器１２１と正極のための２つの３相バルブブリッジ１３１ａの結線を示す。負極のための２つの変圧器１２２と負極のための２つの３相バルブブリッジ１３２ａの結線、正極のための２つの変圧器１６１と正極のための２つの３相バルブブリッジ１５１ａの結線、負極のための２つの変圧器１６２と負極のための２つの３相バルブブリッジ１５２ａの結線、正極のための１つの変圧器１２１と正極のための１つの３相バルブブリッジ１３１ａ、正極のための１つの変圧器１６１と正極のための１つの３相バルブブリッジ１５１ａの結線などは図４の実施例から容易に導出されるため、その図面と説明は省略する。
【００８８】
図４において、Ｙ−Ｙ形状の結線を有する変圧器１２１を上側変圧器、Ｙ−Δ形状の結線を有する変圧器１２１を下側変圧器、上側変圧器に連結される３相バルブブリッジ１３１ａを上側３相バルブブリッジ、下側変圧器に連結される３相バルブブリッジ１３１ａを下側３相バルブブリッジと称する。
【００８９】
上側３相バルブブリッジと下側３相バルブブリッジは直流電力を出力する２つの出力端である第１出力端ＯＵＴ１と第２出力端ＯＵＴ２を有する。
【００９０】
上側３相バルブブリッジは６つのバルブＤ１−Ｄ６を含み、下側３相バルブブリッジは６つのバルブＤ７−Ｄ１２を含む。
【００９１】
バルブＤ１は第１出力端ＯＵＴ１に連結されるカソードと上側変圧器の２次側コイルの第１端子に連結されるアノードを有する。
【００９２】
バルブＤ２はバルブＤ５のアノードに連結されるカソードとバルブＤ６のアノードに連結されるアノードを有する。
【００９３】
バルブＤ３は第１出力端ＯＵＴ１に連結されるカソードと上側変圧器の２次側コイルの第２端子に連結されるアノードを有する。
【００９４】
バルブＤ４はバルブＤ１のアノードに連結されるカソードとバルブＤ６のアノードに連結されるアノードを有する。
【００９５】
バルブＤ５は第１出力端ＯＵＴ１に連結されるカソードと上側変圧器の２次側コイルの第３端子に連結されるアノードを有する。
【００９６】
バルブＤ６はバルブＤ３のアノードに連結されるカソードを有する。
【００９７】
バルブＤ７はバルブＤ６のアノードに連結されるカソードと下側変圧器の２次側コイルの第１端子に連結されるアノードを有する。
【００９８】
バルブＤ８はバルブＤ１１のアノードに連結されるカソードと第２出力端ＯＵＴ２に連結されるアノードを有する。
【００９９】
バルブＤ９はバルブＤ６のアノードに連結されるカソードと下側変圧器の２次側コイルの第２端子に連結されるアノードを有する。
【０１００】
バルブＤ１０はバルブＤ７のアノードに連結されるカソードと第２出力端ＯＵＴ２に連結されるアノードを有する。
【０１０１】
バルブＤ１１はバルブＤ６のアノードに連結されるカソードと下側変圧器の２次側コイルの第３端子に連結されるアノードを有する。
【０１０２】
バルブＤ１２はバルブＤ９のアノードに連結されるカソードと第２出力端ＯＵＴ２に連結されるアノードを有する。
【０１０３】
図５は、本発明の一実施例によるデータ処理装置の構成を説明するための図である。
【０１０４】
図５を参照すると、データ処理装置２００は複数の前処理グループ１０ａ…１０ｎ及び複数の制御部５ａ…５ｎを含む。
【０１０５】
データ処理装置２００は図１で説明した高電圧直流送電システムの制御パート１９０に含まれる。
【０１０６】
複数の前処理グループ１０ａ…１０ｎそれぞれは複数の前処理部１ａ…１ｎを含む。複数の前処理グループ１０ａ…１０ｎそれぞれは複数の制御部５ａ…５ｎそれぞれに対応する。
【０１０７】
第１前処理グループ１０ａに含まれた複数の前処理部１ａ…１ｎそれぞれの出力端子は光導波管４を介して次の前処理部の入力端子に連結される。複数の前処理部１ａ…１ｎそれぞれは出力端子２を介して次の前処理部の入力端子にデータを伝送する。
【０１０８】
最後に配置された前処理部１ｎは光導波管４を介して制御部５ａに連結される。
【０１０９】
複数の前処理部１ａ…１ｎは多様な測定部（図示せず）と連結される。
【０１１０】
複数の前処理部１ａ…１ｎそれぞれは測定部で測定された測定値を前処理し変換して複数の制御部５ａ…５ｎそれぞれに伝達する。
【０１１１】
第１前処理部１ａは測定部から伝達された測定値を前処理して第１前処理データを出力する。
【０１１２】
第１前処理部１ａの出力端子２から出力された第１前処理データは光導波管４を介して第２前処理部１ｂの入力端子３に伝達される。第２前処理部１ｂの入力端子３を介して伝達された第１前処理データは第２前処理部１ｂの第２前処理データと共に次の前処理部の入力端子に伝達される。最後に配置された第ｎ前処理部１ｎから伝達された前処理データは制御部５に伝達される。
【０１１３】
複数の制御部５ａ…５ｎそれぞれは複数の前処理グループそれぞれから前処理データを受信する。
【０１１４】
複数の制御部５ａ…５ｎそれぞれは受信した前処理データをコーディングして外部に伝送する。
【０１１５】
図６は、本発明の一実施例によって各前処理部からデータが伝送されるタイミングを説明するための図である。
【０１１６】
図６を参照すると、データワード（ｄａｔａ  ｗｏｒｄ）６は開始ビット８が付着された同期信号７から始まる。複数のビットグループ９…１４ｎ及びチェックビットグループ１５は開始ビット８と次に配置される。
【０１１７】
第１ビットグループ９は２つのビットグループエレメント１０，１１を含む。２つのビットグループエレメント１０，１１それぞれは８ｂｉｔの長さを有する。
【０１１８】
第１ビットグループエレメント１０は各前処理部を識別するビットシーケンスを含む。第２ビットグループエレメント１１は第１ビットグループ９に続く複数のビットグループ１２，１３，１４ａ…１４ｎ，１５に対する情報を含む。複数のビットグループ１２，１３，１４ａ…１４ｎ，１５は複数の測定値、状態及びチェックビットグループに対応する。
【０１１９】
第２ビットグループ１２及び第３ビットグループ１３は測定部から測定された測定値の状態情報を含む。測定値の状態に対する情報は前処理部で生成された測定値に対する情報である。測定値の状態情報は測定値の有効性に対する情報及び前処理過程が行われたのかに対する情報を含む。
【０１２０】
第３ビットグループ１３に続く複数のビットグループ１４ａ…１４ｎそれぞれは前処理部で生成された複数の測定値それぞれに対応する。
【０１２１】
複数のビットグループ１４ａ…１４ｎに続くチェックビットグループ１５はデータワード６を使用して伝送されるデータが信頼できるデータであるのかをチェックするのに使用される。
【０１２２】
図７は、本発明の一実施例によって各前処理部からデータワードを有するデータレコードを示す図である。
【０１２３】
図７を参照すると、複数のデータワード６ａ…６ｎそれぞれは図６で説明したデータワード６に対応する。
【０１２４】
第１データレコード１６は図５で説明した第１前処理部１ａから出力された第１データワード６ａを含む。
【０１２５】
第２データレコード１７は第１データワード６ａ及び図５で説明した第２前処理部１ｂから出力された第２データワード６ｂを含む。
【０１２６】
第ｎデータレコード１８は複数の前処理部１ａ…１ｎから出力されたデータワード６ａ…６ｎを含む。
【０１２７】
第１前処理部１ａはマスタとして使用され、マスタ同期信号１９を利用してデータ伝送を始める。
【０１２８】
第１前処理部１ａはマスタ同期信号１９を生成した後、図６に示したようなフォーマットの第１データワード６ａを伝送する。図６で説明したように、第１データワード６ａは第１ビットグループ９に続く複数のビットグループ１２，１３，１４ａ…１４ｎ，１５の個数に対する情報を含む第２ビットグループエレメント１１２を含む。
【０１２９】
複数のビットグループ１２，１３，１４ａ…１４ｎ，１５の個数に対する情報は第２前処理部１ｂが自らの同期信号７ｂ及び第２データワード６ｂをどのタイミングで第１データワード６ａの次に挿入するのかを示す挿入時間を決定するのに使用される。挿入時間が決定されることで第２データレコード１７が生成される。
【０１３０】
このような方法で次の前処理部それぞれは自らの同期信号及びデータワードを挿入してデータレコードを生成する。最終的に第ｎデータレコード１８が生成される。
【０１３１】
第ｎ前処理部１ｎから出力されたデータは光導波管４を介して制御部５に伝達される。制御部５は第ｎ前処理部１ｎから出力されたデータに追加的な処理過程を行う。
【０１３２】
図８は、本発明の一実施例によって測定データをコーディングする過程を説明する図である。
【０１３３】
図５で説明した複数の制御部それぞれはバイフェーズ（ｂｉ−ｐｈａｓｅ）コーディング方式を利用して各前処理部の測定値それぞれをコーディングする。
【０１３４】
バイフェーズコーディング方式を使用する場合、測定値はロウ信号を示す０及びハイ信号を示す１によって表現される。バイフェーズコーディング方式は一つのデータワード内で連続的なロウ状態又はハイ状態を許容しない。
【０１３５】
図８を参照すると、測定値を示す測定データ２０はロウ信号及びハイ信号を含む。制御部はバイフェーズコーディング方式を介して測定データ２０をコーディングし、コーディングされた伝送信号２１を生成する。コーディングされた伝送信号２１は連続的なロウ信号及び連続的はハイ信号を有しない。このようなコーディング方式は同期信号が伝送信号２１上に明確に示されるようにする。一実施例において、第１前処理部１ａで生成されたマスタ同期信号１９は１３個のロウ信号が連続的に示されるように表現され、第１前処理部１ａを除く残りの前処理部から生成された同期信号７ｂ…７ｎそれぞれは７つのロウ信号が連続的に示されるように表現される。
【０１３６】
次に、図９乃至図１２を説明する。
【０１３７】
図９乃至図１２におして、各構成要素間のデータ伝送は波長分割多重化（ＷＤＭ：Ｗａｖｅｌｅｎｇｔｈ  Ｄｉｖｉｓｉｏｎ  Ｍｕｌｔｉｐｌｅｘｉｎｇ）方式を基盤に行われる。波長分割多重化は複数の波長を一つの光繊維を介して通信する方式である。
【０１３８】
図９及び図１０は、本発明の他の実施例による高電圧直流送電システムのデータ処理装置を説明するための図である。
【０１３９】
図９は本発明の他の実施例によるデータ処理装置のブロック図であり、図１０は本発明の他の実施例によるデータ処理装置の実際の構成を示す図である。
【０１４０】
データ処理装置３００は図１に示した制御パート１９０に含まれてもよいがこれに限ることはなく、別途の手段として構成されてもよい。
【０１４１】
図９を参照すると、データ処理装置３００は測定モジュール３１０、データ生成部３２０、インタフェース部３３０、データ収集部３４０及び制御部３５０を含む。
【０１４２】
測定モジュール３１０は高電圧直流送電システムの一つ以上の地点に対する測定値を獲得する。一実施例において、測定モジュール３１０は図１乃至図２に示した高電圧直流送電システムのある一地点に対する測定値を獲得する。測定値は交流パート１１０，１７０の一地点に対する交流電圧及び交流パート１１０，１７０の一地点に対する交流電流を含む。また、測定値は直流送電パート１４０の直流電圧及び直流送電パート１４０の一地点に対する直流電流を含む。しかし、これに限る必要はなく、測定値は高電圧直流送電システムを構成する構成要素の入力端子の電圧／電流又は出力端子の電圧／電流を含む。
【０１４３】
データ生成部３２０は測定モジュール３１０から獲得した測定値を利用して測定データユニットを生成する。データ生成部３２０は複数のデータユニット生成部３２０ａ…３２０ｎを含み、複数のデータユニット生成部３２０ａ…３２０ｎそれぞれは測定モジュール３１０から獲得した測定値を利用して測定データユニットを生成する。複数のデータユニット生成部３２０ａ…３２０ｎそれぞれは測定モジュール３１０から伝達された測定値を前処理（ｐｒｅｐｒｏｃｅｓｓｉｎｇ）する。複数のデータユニット生成部３２０ａ…３２０ｎそれぞれは測定値を制御部３５０が測定値に対する有効値を抽出するように不必要な情報を除去する予備的な処理過程を行う。複数のデータユニット生成部３２０ａ…３２０ｎそれぞれは前処理過程を行って測定データユニットを生成する。
【０１４４】
複数のデータユニット生成部３２０ａ…３２０ｎそれぞれはインタフェース部３３０を介して前処理された測定データユニットをデータ収集部３４０に伝達する。
【０１４５】
インタフェース部３３０は複数のデータユニット生成部３２０ａ…３２０ｎそれぞれから生成された複数の測定データユニットをデータ収集部３４０に伝達する。
【０１４６】
インタフェース部３３０は複数のデータユニット生成部３２０ａ…３２０ｎそれぞれから生成された複数の測定データユニットをデータ収集部３４０に並列的に伝達する。
【０１４７】
インタフェース部３３０は複数のデータユニット生成部３２０ａ…３２０ｎそれぞれから生成された測定データユニットをバックプレーンバス（ｂａｃｋｐｌａｎｅ  ＢＵＳ）規格を利用してデータ収集部３４０に伝達する。インタフェース部３３０は複数のデータユニット生成部３２０ａ…３２０ｎ及びデータ収集部３４０を互いに連結して測定データユニットを伝達するための通路の役割をする。
【０１４８】
データ収集部３４０はインタフェース部３３０を介して伝達された複数のデータユニットを収集する。
【０１４９】
一実施例において、データ収集部３４０はインタフェース部３３０を介して伝達された複数の測定データユニットを同時に収集する。即ち、データ収集部３４０はバックプレーンバス規格を介して複数の測定データユニットを同時に収集する。
【０１５０】
データ収集部３４０はバッファ（ｂｕｆｆｅｒ）の役割をする。即ち、データ収集部３４０は複数のデータユニット生成部３２０ａ…３２０ｎと制御部３５０との間にデータを送受信する際にデータを臨時に記憶する臨時記憶場所として活用される。
【０１５１】
データ収集部３４０はゲートモジュールと命名される。
【０１５２】
データ収集部３４０は収集された複数の測定データユニットに基づいて測定データパケットを生成する。
【０１５３】
一実施例において、データ収集部３４０は複数の測定データユニットを利用して一つのデータパケットを生成する。
【０１５４】
データ収集部３４０は生成された測定データパケットをコーディングし、コーディングされた測定データパケットを生成する。データ収集部３４０は複数の測定データユニットそれぞれをコーディングし、コーディングした結果を利用して一つの測定データパケットを生成する。
【０１５５】
データ収集部３４０は生成されたデータパケットを制御部３５０に伝送する。
【０１５６】
制御部３５０はトリガーに基づいて受信された測定データパケットを外部に提供する。
【０１５７】
トリガーは測定データパケットの伝送を開示する同期である。
【０１５８】
一実施例において、トリガーは一定周期の時間ごとに生成される。即ち、制御部３５０は決められた時間間隔ごとに測定データパケットを外部に提供する。
【０１５９】
他の実施例において、トリガーは不規則的な時間ごとに生成される。制御部３５０は不規則的な時間間隔ごとに測定データパケットを外部に提供する。
【０１６０】
他の実施例において、トリガーは他の制御部の要請である。即ち、例えば図１０に示した第１制御部３５０＿１は第２制御部３５０＿２の要請によって測定データパケットを第２制御部３５０−２に提供する。同じく、第２制御部３５０＿２は第１制御部３５０＿１の要請によって測定データパケットを第１制御部３５０＿１に提供する。
【０１６１】
第１制御部３５０＿１と第２制御部３５０＿２は光ケーブルを利用して測定データパケットを送受信する。
【０１６２】
他の実施例において、トリガーはユーザの要請である。制御部３５０はユーザの要請に応じて測定データパケットをユーザの端末機に提供する。ここで、ユーザの端末機はコンピュータ、ノートブックＰＣ、スマートフォンなどのような移動端末機であってもよいが、それに限ることはない。
【０１６３】
図１０を参照すると、第１データ処理装置３００＿１及び第２データ処理装置３００＿２が示されている。第１データ処理装置３００＿１及び第２データ処理装置３００＿２それぞれの構成は図９で説明したようである。但し、一部の構成要素は省略している。
【０１６４】
第１制御部３５０＿１は第１データ処理装置３００＿１の測定データパケットを第２データ収集部３４０＿２を介して第２制御部３５０＿２に伝達する。
【０１６５】
第２制御部３５０＿２は第２データ処理装置３００＿２の測定データパケットを第１データ収集部３４０＿１を介して第１制御部３５０＿１に伝達する。
【０１６６】
次に、図１１を説明する。
【０１６７】
図１１は、本発明の一実施例によるデータ処理装置の動作方法を説明するためのフローチャートである。
【０１６８】
図１１を参照すると、データ処理装置３００の測定モジュール３１０は高電圧直流送電システムの一つ以上の地点に対する測定値を獲得するＳ１０１。
【０１６９】
一実施例において、測定モジュール３１０は図１乃至図２に示した高電圧直流送電システムのある一地点に対する測定値を獲得する。測定値は交流パート１０１，１７０の一地点に対する交流電圧及び交流パート１１０，１７０の一地点に対する交流電流を含む。また、測定値は直流送電パート１４０の直流電圧及び直流送電パート１４０の一地点に対する直流電流を含む。しかし、これに限る必要はなく、測定値は高電圧直流送電システムを構成する構成要素の入力端子の電圧／電流又は出力端子の電圧／電流を含む。
【０１７０】
測定モジュール３１０は複数の測定部（図示せず）を含む。複数の測定部それぞれは測定値を複数のデータユニット生成部３２０ａ…３２０ｎに伝達する。複数のデータユニット生成部３２０ａ…３２０ｎそれぞれは測定モジュール３１０から獲得した測定値を利用して測定データユニットを生成するＳ１０３。
【０１７１】
複数のデータユニット生成部３２０ａ…３２０ｎそれぞれは測定モジュール３１０から伝達された測定値を前処理する。複数のデータユニット生成部３２０ａ…３２０ｎそれぞれは測定値を制御部３５０が測定値に対する有効値を抽出するように不必要な情報を除去する予備的な処理過程を行う。複数のデータユニット生成部３２０ａ…３２０ｎそれぞれは前処理過程を行って測定データユニットを生成する。
【０１７２】
複数のデータユニット生成部３２０ａ…３２０ｎそれぞれはインタフェース部３３０を介して前処理された測定データユニットをデータ収集部３４０に伝達する。
【０１７３】
インタフェース部３３０は複数のデータユニット生成部３２０ａ…３２０ｎそれぞれから生成された複数の測定データユニットをデータ収集部３４０に伝達するＳ１０５。
【０１７４】
インタフェース部３３０は複数のデータユニット生成部３２０ａ…３２０ｎそれぞれから生成された測定データユニットをバックプレーンバス規格を利用してデータ収集部３４０に伝達する。インタフェース部３３０は複数のデータユニット生成部３２０ａ…３２０ｎ及びデータ収集部３４０を互いに連結して測定データユニットを伝達するための通路の役割をする。
【０１７５】
インタフェース部３３０は複数の測定データユニットを一つの光ケーブルを介して前記データ収集部３４０に伝達する。即ち、複数のデータユニット生成部３２０ａ…３２０ｎは一つの光ケーブルを共有する。
【０１７６】
それによって、インタフェース部３３０は複数の測定データユニットを１つのケーブルを介して並列的に伝送する。この場合、インタフェース部３３０は波長分割多重化方式を利用して複数の測定データユニットをデータ収集部３４０に伝達する。
【０１７７】
データ収集部３４０はインタフェース部３３０を介して伝達された複数の測定データユニットを収集するＳ１０７。
【０１７８】
一実施例において、データ収集部３４０はインタフェース部３３０を介して伝達された複数の測定データユニットを同時に収集する。即ち、データ収集部３４０はバックプレーンバス規格を介して複数の測定データユニットを同時に収集する。
【０１７９】
データ収集部３４０はバッファの役割をする。即ち、データ収集部３４０は複数のデータユニット生成部３２０ａ…３２０ｎと制御部３５０との間にデータを送受信する際にデータを臨時に記憶する臨時記憶場所として活用される。
【０１８０】
データ収集部３４０はゲートモジュールと命名される。
【０１８１】
データ収集部３４０は収集された複数の測定データユニットに基づいて測定データパケットを生成するＳ１０９。
【０１８２】
一実施例において、データ収集部３４０は複数の測定データユニットを利用して一つのデータパケットを生成する。
【０１８３】
データ収集部３４０は生成された測定データパケットをコーディングし、コーディングされた測定データパケットを生成する。データ収集部３４０は複数の測定データユニットそれぞれをコーディングし、コーディングした結果を利用して一つの測定データパケットを生成する。
【０１８４】
測定データパケットの構造については図１２を参照して説明する。
【０１８５】
図１２は、本発明の一実施例による測定データパケットの構造を説明するための図である。
【０１８６】
図１２を参照すると、測定データパケットはヘッダー３２１、測定データ３２３及びチェックコード３２５を含む。
【０１８７】
ヘッダー３２１は識別子フィールド及び長さフィールドを含む。
【０１８８】
識別子（ＩＤ）フィールドは測定データパケットを識別するフィールドである。
【０１８９】
長さ（ｌｅｎｇｈ）フィールドはヘッダー３２１に続く測定データ３２及びチェックコード３２５の長さを示すフィールドである。
【０１９０】
ヘッダー３２１は各測定データユニットのヘッダーを含まなくてもよい。各測定データユニットはヘッダーを含まなくてもよい。それによって、測定データパケットのヘッダーは単純に測定データパケットを示す情報のみを含む。
【０１９１】
ヘッダー３２１の次には測定データ３２３及びチェックコード３２５が続く。
【０１９２】
測定データ３２３はデータユニット生成部で前処理された複数の測定値に対する情報を含む。測定データ３２３は複数の測定データフィールドｍｅａｓｕｒｅｍｅｎｔ  ｄａｔａ  ｆｉｅｌｄ  １…ｎを含む。複数の測定データフィールドそれぞれは複数のデータユニット生成部にそれぞれ対応する。即ち、複数の測定データフィールドそれぞれは複数のデータユニット生成部から伝達された複数の測定値を示す。
【０１９３】
測定データ３２３の次にはチェックコード３２５が続く。
【０１９４】
チェックコード３２５は測定データパケットが信頼できるデータユニットであるのかをチェックするのに使用される。即ち、チェックコード３２５は測定データパケットのエラーをチェックするのに使用される。チェックコード３２５は循環重複検査であってもよいが、これは例示に過ぎない。
【０１９５】
図１２のような測定データパケットの場合、図６に示した実施例に比べてヘッダーの数を減少することができる。即ち、図６の実施例による複数のデータレコードは各前処理部に対する複数のヘッダーを含む。しかし、図１２の実施例による測定データパケットは一つのヘッダーのみを含むため、図１２の実施例は相対的にオーバヘッドを減らすことができる。
【０１９６】
また、本発明の実施例によると複数のデータユニット生成部から伝送される測定データユニットは時分割されて伝送されないため、伝送同期に敏感ではない効果がある。
【０１９７】
また、本発明に実施例によると複数のデータユニット生成部から伝送される測定データユニットは一つのインタフェースを介して伝送されるため、ケーブル配線数を減らすことができ、システムの構造を単純にする。
【０１９８】
更に図１１を説明する。
【０１９９】
データ収集部３４０は、生成された測定データパケットを制御部３５０に伝送するＳ１１１。
【０２００】
一実施例において、データ収集部３４０は波長分割多重化を利用して測定データパケットを制御部３５０に伝送する。波長分割多重化は複数の波長を一つの光繊維を介して通信する方式である。
【０２０１】
制御部３５０はトリガーに基づいて受信された測定データパケットを外部に提供するＳ１１３。
【０２０２】
トリガーは測定データパケットの伝送を開示する同期である。
【０２０３】
一実施例において、トリガーはデータ処理装置３００に予め設定された時間的同期である。トリガーは一定周期の時間ごとに生成される。即ち、制御部３５０は決められた時間間隔ごとに測定データパケットを外部に提供する。
【０２０４】
また、トリガーは不規則的な時間ごとに生成されてもよい。制御部３５０は不規則的な時間間隔ごとに測定データパケットを外部に提供する。
【０２０５】
他の実施例において、トリガーは他の制御部の要請である。即ち、例えば図１０に示した第１制御部３５０＿１は第２制御部３５０＿２の要請によって測定データパケットを第２制御部３５０−２に提供する。同じく、第２制御部３５０＿２は第１制御部３５０＿１の要請によって測定データパケットを第１制御部３５０＿１に提供する。
【０２０６】
第１制御部３５０＿１と第２制御部３５０＿２は光ケーブルを利用して測定データパケットを送受信する。
【０２０７】
他の実施例において、トリガーはユーザの要請である。制御部３５０はユーザの要請に応じて測定データパケットをユーザの端末機に提供する。ここで、ユーザの端末機はコンピュータ、ノートブックＰＣ、スマートフォンなどのような移動端末機であってもよいが、それに限ることはない。
【０２０８】
図１３は、本発明の他の実施例によるデータ処理装置の構成を説明するためのブロック図である。
【０２０９】
図１３を参照すると、データ処理装置４００は測定モジュール４１０、データ処理部４２０、通信インタフェース部４３０及び制御部４５０を含む。
【０２１０】
測定モジュール４１０は高電圧直流送電システムの一つ以上の地点に対する測定値を獲得する。一実施例において、測定モジュール４１０は図１乃至図２に示した高電圧直流送電システムのある一地点に対する測定値を獲得する。測定値は交流パート１１０，１７０の一地点に対する交流電圧及び交流パート１１０，１７０の一地点に対する交流電流を含む。また、測定値は直流送電パート１４０の直流電圧及び直流送電パート１４０の一地点に対する直流電流を含む。しかし、これに限る必要はなく、測定値は高電圧直流送電システムを構成する構成要素の入力端子の電圧／電流又は出力端子の電圧／電流を含む。
【０２１１】
データ処理部４２０は測定モジュール４１０から獲得した測定値を利用して測定データユニットを生成する。
【０２１２】
データ処理部４２０は複数のデータユニット生成部４２０ａ…４２０ｎを含み、複数のデータユニット生成部４２０ａ…４２０ｎそれぞれは測定モジュール４１０から獲得した測定値を利用して測定データユニットを生成する。複数のデータユニット生成部４２０ａ…４２０ｎそれぞれは測定モジュール４１０から伝達された測定値を前処理する。複数のデータユニット生成部４２０ａ…４２０ｎそれぞれは測定値を制御部４５０が測定値に対する有効値を抽出するように不必要な情報を除去する予備的な処理過程を行う。複数のデータユニット生成部４２０ａ…４２０ｎそれぞれは前処理過程を行って測定データユニットを生成する。
【０２１３】
複数のデータユニット生成部４２０ａ…４２０ｎそれぞれは自らが生成した測定データユニットを時分割多重化方式を介して続くデータユニット生成部に伝送する。
【０２１４】
通信モジュール４３０は伝達された測定データユニットを波長分割多重化方式を利用して制御部４５０に伝送する。通信モジュール４３０は複数の測定データユニットを制御部４５０に並列的に伝送する。通信モジュール４３０は波長分割多重化（Ｗａｖｅｌｅｎｇｔｈ  Ｄｉｖｉｓｉｏｎ  Ｍｕｌｔｉｐｌｅｘｉｎｇ，ＷＤＭ）方式を利用して複数の測定データユニットを制御部４５０に伝送する。波長分割多重化方式は複数の波長帯域それぞれにデータを割り当てて光繊維を介して伝送する方式である。光繊維は非常に広い周波数領域にわたって大量のデータ伝送が可能であるため、波長分割多重化方式は経済的で伝送速度を増加する効果を有する。
【０２１５】
波長分割多重化方式を図１４を参照して説明する。
【０２１６】
図１４は、本発明の実施例による波長分割多重化方式を介したデータ伝送方法を説明するための図である。
【０２１７】
図１４を参照すると、通信モジュール４３０は多重化部４３１及び光繊維４３３を含む。図１４で光繊維４３３は通信モジュール４３０に含まれると説明したがこれに限ることはなく、通信モジュール４３０とは別途に構成されてもよい。
【０２１８】
多重化部４３１は複数の波長帯域λ１、λ２、λ３…λｎに割り当てられた測定データユニットを多重化して一つのデータを出力する。
【０２１９】
光繊維４３３は多重化部４３１から出力された一つのデータを制御部４５０の逆多重化部４５１に伝達する。
【０２２０】
逆多重化部４５１は多重化されたデータを複数の波長帯域に逆多重化する。
【０２２１】
更に図１３を参照する。
【０２２２】
通信モジュール４３０は複数のデータユニット生成部４２０ａ…４２０ｎから伝達された測定データユニットそれぞれを複数の波長帯域それぞれに割り当てて制御部４５０に伝送する。
【０２２３】
一実施例において、通信モジュール４３０は一つの光繊維を介して複数の測定データユニットを制御部４５０に伝送する。光繊維はコア領域とコア領域を囲むグラッディング領域を含む。コア領域には一つ以上のコアが含まれる。光繊維が複数のコアを含む場合、通信モジュール４３０は複数のコアそれぞれに測定データユニットを割り当てて測定データユニットを制御部４５０に伝送する。複数のコアそれぞれには複数の波長帯域が割り当てられる。複数のコアそれぞれには同じ複数の波長帯域が割り当てられる。一つの光繊維が複数のコアを含む場合、一度に大量のデータが伝送される。
【０２２４】
一実施例において、複数のコアそれぞれはデータ処理部４２０を構成する複数のデータユニット生成部それぞれに対応する。それによって、複数のコアそれぞれは複数のデータユニット生成部それぞれから測定データユニットを制御部４５０に伝送する。
【０２２５】
他の実施例において、複数のコアそれぞれは少なくとも２つ以上のデータユニット生成部と対応する。この場合、通信モジュール４３０は複数のコアそれぞれに波長帯域を割り当て、複数のコアそれぞれは割り当てられた波長帯域を介して２つ以上の測定データユニットを制御部４５０に伝送する。
【０２２６】
通信モジュール４３０は複数のコアに優先順位を決めて決められた優先順位に応じて測定データユニットを伝送する。詳しくは、複数の測定部のうちいずれか一つの測定部で測定された測定値の伝送が先に要求される場合、通信モジュール４３０は複数のコアのうち最も優先順位が高いコアを介して測定データユニットを先に伝送する。
【０２２７】
制御部４５０はデータ処理装置４００の動作を全般的に制御する。
【０２２８】
制御部４５０は通信モジュール４３０から伝達された測定データユニットをコーディングして外部に提供する。
【０２２９】
制御部４５０は測定データユニットをバイフェーズコーディング方式を利用してコーディングする。
【０２３０】
図１５は、本発明の他の実施例によるデータ処理装置の実際の構成を示す図である。
【０２３１】
図１５を参照すると、第１データ処理装置４００＿１及び第２データ処理装置４００＿２が示されている。第１データ処理装置３００＿１及び第２データ処理装置３００＿２それぞれの構成は図１３で説明したようである。但し、一部の構成要素は省略している。
【０２３２】
第１データ処理部４２０＿１は複数の測定データユニットを第１通信モジュール４３０＿１に伝達する。
【０２３３】
第１通信モジュール４３０＿１は伝達された複数の測定データユニットを波長分割多重化方式を利用して第１制御部４５０＿１に伝送する。
【０２３４】
第２データ処理部４２０＿２は複数の測定データユニットを第２通信モジュール４３０＿２に伝達する。
【０２３５】
第２通信モジュール４３０＿２は伝達された複数の測定データユニットを波長分割多重化方式を利用して第２制御部４５０＿２に伝送する。
【０２３６】
第１制御部４５０＿１は第２通信モジュール４３０＿２から第２データ処理部４２０＿２が生成した測定データユニットを受信する。この場合にも波長分割多重化方式が使用される。
【０２３７】
第２制御部４５０＿２は第１通信モジュール４３０＿１から第１データ処理部４２０＿１が生成した測定データユニットを受信する。この場合にも波長分割多重化方式が使用される。
【０２３８】
各制御部はトリガーに基づいて受信した測定データユニットを外部に提供する。トリガーは測定データパケットの伝送を開始する同期である。
【０２３９】
一実施例において、トリガーはデータ処理装置４００に予め設定された時間的同期である。トリガーは一定周期の時間ごとに生成される。即ち、制御部４５０は決められた時間間隔ごとに測定データユニットを外部に提供する。
【０２４０】
また、トリガーは不規則的な時間ごとに生成される。制御部４５０は不規則的な時間間隔ごとに測定データユニットを外部に提供する。
【０２４１】
他の実施例において、トリガーは他の制御部の要請である。即ち、例えば図１５に示した第１制御部４５０＿１は第２制御部４５０＿２の要請によって測定データユニットを第２制御部４５０＿２に提供する。同じく、第２制御部４５０＿２は第１制御部４５０＿１の要請によって測定データユニットを第１制御部４５０＿１に提供する。
【０２４２】
第１制御部４５０＿１と第２制御部４５０＿２は光繊維を介して測定データユニットを送受信する。
【０２４３】
他の実施例において、トリガーはユーザの要請である。制御部３５０はユーザの要請に応じて測定データユニットをユーザの端末機に提供する。ここで、ユーザの端末機はコンピュータ、ノートブック、スマートフォンなどのような移動端末機であってもよいが、それに限ることはない。
【０２４４】
図１６は、本発明の他の実施例によるデータ処理装置のデータ伝送方法を説明するためのフローチャートである。
【０２４５】
図１６を参照すると、データ処理装置４００の測定モジュール４１０は高電圧直流送電システムの一つ以上の地点に対する測定値を獲得するＳ２０１。
【０２４６】
一実施例において、測定モジュール４１０は図１乃至図２に示した高電圧直流送電システムのある一地点に対する測定値を獲得する。測定値は交流パート１０１，１７０の一地点に対する交流電圧及び交流パート１１０，１７０の一地点に対する交流電流を含む。また、測定値は直流送電パート１４０の直流電圧及び直流送電パート１４０の一地点に対する直流電流を含む。しかし、これに限る必要はなく、測定値は高電圧直流送電システムを構成する構成要素の入力端子の電圧／電流又は出力端子の電圧／電流を含む。
【０２４７】
測定モジュール４１０は複数の測定部（図示せず）を含む。複数の測定部それぞれは測定値を複数のデータユニット生成部４２０ａ…４２０ｎに伝達する。即ち、複数の測定部それぞれは複数のデータユニット生成部４２０ａ…４２０ｎそれぞれに対応する。
【０２４８】
複数のデータユニット生成部４２０ａ…４２０ｎそれぞれは測定モジュール４１０から獲得した測定値を利用して測定データユニットを生成するＳ２０３。
【０２４９】
複数のデータユニット生成部４２０ａ…４２０ｎそれぞれは測定モジュール４１０から伝達された測定値を前処理（ｐｒｅｐｒｏｃｅｓｓｉｎｇ）する。複数のデータユニット生成部４２０ａ…４２０ｎそれぞれは測定値を制御部４５０が測定値に対する有効値を抽出するように不必要な情報を除去する予備的な処理過程を行う。複数のデータユニット生成部４２０ａ…４２０ｎそれぞれは前処理過程を行って測定データユニットを生成する。
【０２５０】
複数のデータユニット生成部４２０ａ…４２０ｎそれぞれは生成された測定データユニットを通信モジュール４３０に伝達するＳ２０５。
【０２５１】
通信モジュール４３０は、伝達された測定データユニットを波長分割多重化方式を利用して制御部４５０に伝送するＳ２０７。
【０２５２】
通信モジュール４３０は複数の測定データユニットを制御部４５０に並列的に伝送する。通信モジュール４３０は波長分割多重化方式を利用して複数の測定データユニットを制御部４５０に伝送する。波長分割多重化方式は複数の波長帯域それぞれにデータを割り当てて光繊維を介して伝送する方式である。光繊維は非常に広い周波数領域にわたって大量のデータ伝送が可能であるため、波長分割多重化方式は経済的で伝送速度を増加する効果を有する。
【０２５３】
通信モジュール４３０は複数のデータユニット生成部４２０ａ…４２０ｎから伝達された測定データユニットそれぞれを複数の波長帯域それぞれに割り当てて制御部４５０に伝送する。
【０２５４】
一実施例において、通信モジュール４３０は一つの光繊維を介して複数の測定データユニットを制御部４５０に伝送する。光繊維はコア領域とコア領域を囲むクラッディング領域を含む。コア領域には一つ以上のコアが含まれる。光繊維が複数のコアを含む場合、通信モジュール４３０は複数のコアそれぞれに測定データユニットを割り当てて測定データユニットを制御部４５０に伝送する。
【０２５５】
複数のコアそれぞれには複数の波長帯域が割り当てられる。複数のコアそれぞれには同じ複数の波長帯域が割り当てられてもよい。一つの光繊維が複数のコアを含む場合、一度に大量のデータが伝送される。
【０２５６】
一実施例において、複数のコアそれぞれはデータ処理部４２０を構成する複数のデータユニット生成部それぞれに対応する。それによって、複数のコアそれぞれは複数のデータユニット生成部それぞれから測定データユニットを制御部４５０に伝送する。
【０２５７】
他の実施例において、複数のコアそれぞれは少なくとも２つ以上のデータユニット生成部と対応する。この場合、通信モジュール４３０は複数のコアそれぞれに波長帯域を割り当て、複数のコアそれぞれは割り当てられた波長帯域を介して２つ以上の測定データユニットを制御部４５０に伝送する。
【０２５８】
通信モジュール４３０は複数のコアに優先順位を決めて決められた優先順位に応じて測定データユニットを伝送する。詳しくは、複数の測定部のうちいずれか一つの測定部で測定された測定値の伝送が先に要求される場合、通信モジュール４３０は複数のコアのうち最も優先順位が高いコアを介して測定データユニットを先に伝送する。
【０２５９】
時分割多重化（ＴＤＭ）方式の場合、データユニット生成部の個数が多くなるほどチャネルのびん首率が増加し伝送同期に敏感な問題がある。また、時分割多重化方式の場合、データの伝送速度を速くしなければシステムの要求事項を満足することができない問題がある。
【０２６０】
しかし、本発明の実施例によるデータ処理装置４００は各データユニットを特定波長帯域に割り当てて並列的に伝送するため、データユニット生成部の個数が多くてもチャネルのびん首率を下げることができ、データの伝送速度を速くしなくてもシステムの要求事項を満足することができる。
【０２６１】
制御部４５０は通信モジュール４３０から伝達された測定データユニットをコーディングして外部に提供するＳ２０９。
【０２６２】
本発明の一実施例によると、上述した方法はプログラムが記録された媒体にプロセッサが読み込めるコードとして具現することができる。プロセッサが読み込める媒体の例としてはＲＯＭ，ＲＡＭ，ＣＤ−ＲＯＭ，磁気テープ、フロッピディスク、光データ貯蔵装置などがあり、キャリアウェーブ（例えば、インターネットを介した伝送）の形で具現されることも含む。
【０２６３】
前記のように記載された実施例は説明された構成と方法が限られて適用されるのではなく、実施例は多様な変更が行われるように各実施例の全部又は一部が選択的に組み合わせられて構成されてもよい。
【図１】
2015220994.tif 000003
【図２】
2015220994.tif 000004
【図３】
2015220994.tif 000005
【図４】
2015220994.tif 000006
【図５】
2015220994.tif 000007
【図６】
2015220994.tif 000008
【図７】
2015220994.tif 000009
【図８】
2015220994.tif 000010
【図９】
2015220994.tif 000011
【図１０】
2015220994.tif 000012
【図１１】
2015220994.tif 000013
【図１２】
2015220994.tif 000014
【図１３】
2015220994.tif 000015
【図１４】
2015220994.tif 000016
【図１５】
2015220994.tif 000017
【図１６】
2015220994.tif 000018